(57)【要約】【課題】部品の共通化によりデスクの部品点数を少なくしてコストを抑え、各部品の長さ・取付け位置の変更により規格外のニーズに対応可能な事務用デスクを提供することを課題とする。【解決手段】事務用デスク１は、天板２と、天板２の左右縁部を支持する一対の脚上部材３,３と、脚上部材３,３を支持ずる複数の支柱４,４と、支柱４,４を支持する一対の脚下部材５,５とを備えている。支柱４は、筒状をなし水平断面が同一形状に形成されている。支柱４の内側には、脚上部材３及び脚下部材５を固定する取付けねじ８１,８１が螺合する複数の螺合部４１,４１が垂直方向に連続形成されている。支柱４を所定寸法に切断することにより高さ寸法を変更可能にしている。【選択図】図５
2005323806.tif 000002
【特許請求の範囲】
【請求項１】
天板の左右側縁部を支持する脚上部材と、
その脚上部材を支持する複数の支柱と、
その支柱を支持する脚下部材と、を備え、
複数の前記支柱は同一の水平断面形状を有し、所定寸法に切断されることにより高さ寸法を変更可能にしたことを特徴とする事務用デスク。
【請求項２】
前記脚上部材及び脚下部材は、それぞれその長手方向と直交する断面が同一の断面を有し、所定寸法に切断されることにより奥行寸法を変更可能にしたことを特徴とする請求項１に記載の事務用デスク。
【請求項３】
前記支柱には、前記脚上部材及び脚下部材が螺合固定される螺合部が、垂直方向に連続形成されたことを特徴とする請求項１又は２に記載の事務用デスク
【請求項４】
前記螺合部は、１つの支柱に複数形成されたことを特徴とする請求項３に記載の事務用デスク。
【請求項５】
前記支柱には、板状の側板が挿入されその側板を係合保持する係合溝部が、垂直方向に連続形成され、その係合溝部の開口部が向かい合うように前後に配置された前記支柱の間に側板が挿入保持されることを特徴とする請求項１ないし４のいずれか１項に記載の事務用デスク。
【請求項６】
前記係合溝部は、その開口の口元部よりも内部が狭くなっていることを特徴とする請求項５に記載の事務用デスク。
【請求項７】
前記支柱には、後部に配置される幕板を固定するための螺合板が挿入される挿入部が、垂直方向に連続形成されたことを特徴とする請求項１ないし６のいずれか１項に記載の事務用デスク。
【請求項８】
前記支柱は、アルミニウム合金による押出し成形により作製されたことを特徴とする請求項１ないし７のいずれか１項に記載の事務用デスク。
【請求項９】
前記脚上部材及び脚下部材は、筒状をなし、それぞれ前後端部にキャップが装着されていることを特徴とする請求項１ないし８のいずれか１項に記載の事務用デスク。
【請求項１０】
前記脚下部材の下面には、前記キャップの脚下部材内に挿入された部分に形成された雌ねじ部に螺合されてそのねじ込み量の調節によりデスクの高さを調節するアジャスタねじ部の挿通孔を、前記雌ねじ部と同心的に設けたことを特徴とする請求項９に記載の事務用デスク。
【発明の詳細な説明】
【技術分野】
【０００１】
本発明は、事務用デスクに関する。
【背景技術】
【０００２】
一般には、事務用デスクは、カタログなどに掲載された規格品（予め決められた寸法・形状・色調）を中心に商品展開がされている。従って、デスクの高さの規格が例えば７００ｍｍにおいては、背の高い使用者又は背の低い使用者が使用する場合、椅子側で椅子の座面の高さを調整し使用することになる。
【発明の開示】
【発明が解決しようとする課題】
【０００３】
しかしながら、椅子側で調整する場合、椅子の座面の調整により脚が浮いた状態になったりして、長く座っていると疲れなどの問題や使い勝手の悪さの問題も発生し得る。ところで、営業活動上、オフィスプランニング時に規格外の寸法・形状やオフィスの内装に合わせたカラーリングなどのニーズが発生する。このようなニーズに対応するためには、特別仕様の商品を準備が必要となる。この特別仕様の商品を準備するには、新たな設計作業・生産手配・生産などが必要となり、時間とコストがかかる。
【０００４】
本発明は上記した背景をもとになされたもので、部品の共通化によりデスクの部品点数を少なくしてコストを抑え、各部品の長さ・取付け位置の変更により規格外のニーズに対応可能な事務用デスクを提供することを課題とする。
【課題を解決するための手段及び発明の効果】
【０００５】
上記課題を解決するために本発明の事務用デスクは、天板の左右側縁部を支持する脚上部材と、
その脚上部材を支持する複数の支柱と、
その支柱を支持する脚下部材と、を備え、
複数の支柱は同一の水平断面形状を有し、所定寸法に切断されることにより高さ寸法を変更可能にしたことを特徴とする。
【０００６】
上記本発明の事務用デスクは、水平断面が同一形状に形成された支柱で構成され、共通化されており、切断寸法に応じて各種デスクの高さ調節が可能である。例えば支柱部分（断面形状の中）に各種部品（脚上部材、脚下部材、側板及び幕板）の螺合溝、係合溝部及び挿入溝などの取付け部を形成することができ、任意の高さに変更ができる。従って、部品の共通化により、コストを抑えて規格外のニーズに対応ができる。例えば支柱をアルミニウム合金の押出し成形により作製することができる。
【０００７】
脚上部材及び脚下部材は、それぞれその長手方向と直交する断面が同一の断面を有するようにでき、所定寸法に切断されることにより奥行寸法を変更可能にできる。このように脚上部材及び脚下部材が同一断面形状に形成され、共通化されており、切断寸法により奥行寸法の調節が可能である。従って、脚上部材及び脚下部材の共通化により、部品点数も少なくコストを抑えて規格外のニーズに対応ができる。
【０００８】
また、支柱には、脚上部材及び脚下部材が螺合固定される螺合部を、垂直方向に連続形成することができる。螺合部を、１つの支柱に複数形成することができる。このように、支柱部分（断面形状の中）に脚上部材及び脚下部材を固定するための螺合部を形成することができ、複数箇所でそれら脚部材を確実に安定して固定できる。
【０００９】
さらに、支柱には、板状の側板が挿入されその側板を係合保持する係合溝部を、垂直方向に連続形成し、その係合溝部の開口部が向かい合うように前後に配置された支柱の間に側板を挿入保持するようにできる。また、係合溝部を、その開口の口元部よりも内部を狭くするようにできる。このように、支柱部分（断面形状の中）に側板を係合保持する係合部を形成することができ、支柱間で側板を保持できる。係合溝部は、口元部よりも内部が狭く形成されており、側板が、例えばスチール製のように薄いものや樹脂板・木製ボードなどの厚みの厚いものに対してもその厚みに応じてその幅を調整することによりガタツキ無く保持できる。側板については、スチール製として好みの塗装色としたり、パンチング加工したりできる。また、樹脂板として色を変えたり、木製ボードとして表面柄・色などを変えることによりデザイン性を持たせることができる。
【００１０】
また、支柱には、後部に配置される幕板を固定するための螺合板を挿入する挿入部を、垂直方向に連続形成することができる。このように、支柱部分（断面形状の中）に幕板を固定するための螺合板を挿入する挿入部を形成することができ、その螺合板（例えばねじ孔が形成された板）に取付けねじを螺合することによって左右の支柱間（左右の脚部材間）に幕板を固定できる。幕板をスチール製とし汎用機械で加工することにより、各種間口寸法に対応できる。支柱をアルミニウム合金の押出し成形により作製することができ、螺合部、係合溝部及び挿入部が一体的に比較的安価に作製できる。
【００１１】
脚上部材及び脚下部材を、筒状に形成し、それぞれ前後端部にキャップを装着することができる。脚下部材の下面には、キャップの脚下部材内に挿入された部分に形成された雌ねじ部に螺合されてそのねじ込み量の調節によりデスクの高さを調節するアジャスタねじ部の挿通孔を、雌ねじ部と同心的に設けることができる。このように、脚上部材及び脚下部材にはキャップ（例えば樹脂製キャップ）が装着され、それら脚部材が切断された端部を安全に保護できる。また、キャップ側に形成された螺合部（例えば六角ナットを嵌め込むことにより形成された螺合部）にアジャスタねじ部をねじ込むことにより、デスク高さの微調節が可能となる。
【発明を実施するための最良の形態】
【００１２】
（実施例）
以下、本発明の実施の形態につき、図面に示す実施例を参照して説明する。図１は本発明の事務用デスク１の斜視図である。事務用デスク１は、天板２（例えば木製の天板）と、天板の左右縁部を支持する一対の脚上部材３,３と、脚上部材３,３を支持する複数（本実施例では１つの脚上部材に対して２本ずつ左右で計４本）の支柱４,４と、支柱４,４を支持する一対の脚下部材５,５と、支柱４,４に保持固定される左右の板状の側板６,６と、支柱４,４に固定される後部の幕板７とを備えている。
【００１３】
図２は支柱４,４と脚上部材３、脚下部材５部分の分解斜視図、図３は支柱４,４部分の水平断面図、図４は脚上部材３、脚下部材５部分の垂直断面図、図５は図３のＡ部拡大断面図である。支柱４は、筒状をなし水平断面が同一形状に形成されている。支柱４の内側には、脚上部材３及び脚下部材５を固定する複数の取付けねじ８１,８１が螺合する複数（本実施例では１つの支柱に２個）の螺合部４１,４１が垂直方向に連続形成されている。螺合部４１は、螺合孔４１ｄを有する円筒状をなし円筒状の一部側壁に垂直方向に開口する開口部４１ｃを有している。螺合部４１,４１は、支柱４の水平断面における奥行方向（前後方向）の中心線Ｃ上に離間して形成される。なお、螺合部４１の螺合孔４１ｄにねじ切り加工をしないで取付けねじ８１にタッピンねじを用いることができる。また、ねじ切り加工をする方法を採用してもよい。
【００１４】
脚上部材３及び脚下部材５は、角パイプ状をなしその長手方向と直交する断面が同一の形状に形成されている。図２に示すように、脚上部材３に形成された取付け用の挿通孔３１,３１を挿通する取付けねじ８１,８１が螺合部４１,４１（螺合部の上端部４１ａ,４１ａ）に螺合され、脚上部材３が支柱４に固定される。同様に、脚下部材５に形成された取付け用の挿通孔５１,５１を挿通する取付けねじ８１,８１が螺合部４１,４１（螺合部の下端部４１ｂ,４１ｂ）に螺合され、脚下部材５が支柱４に固定される。
【００１５】
支柱４の外側面には、板状の側板６が挿入されその側板６を係合保持する係合溝部４２が垂直方向に連続形成されている。係合溝部４２は、その開口の口元部よりも内部が狭くなるように、溝を形成する突出片部４２ａに対向する壁部４２ｂを、突出片部４２ａの基部に近づくように傾斜した形状としている。突出片部４２ａは支柱の中心線Ｃとほぼ平行に形成されている。
【００１６】
２つの支柱４,４は、それぞれの係合溝部４２の開口部が向かい合うように前後に配置され、支柱４,４の間（係合溝部４２）に側板６が挿入された状態で、脚上部材３、脚下部材５が固定される。側板６は中心線Ｃとほぼ平行に配置固定される。
【００１７】
支柱４の係合溝部４２が形成された面と反対側面に、後部幕板７を固定するためのナット板１０（螺合板）が挿入される挿入部４３が垂直方向に連続形成されている。挿入部４３は、角筒状をなし、外面に垂直方向に開口する開口部４３ａを有している。開口部４３ａは、支柱４の中心線Ｃと交差する方向に形成される。
【００１８】
図６は幕板７と支柱４との取付け部分の分解斜視図である。ナット板１０は、細長い板状をなし複数（本実施例では２個）のねじ孔１０１,１０１が形成されている。ナット板１０は、支柱４,４のうち後部に位置する支柱４の挿入部４３に予め（脚上部材３及び脚下部材５の取付け前に）挿入される。幕板７は、スチール製であり、長方形状をなし４辺が折り曲げられ両側部に取付け部７１,７１が形成されるとともに、上部に取付け部７２が形成されている。幕板７は、取付け部７１,７１に形成された挿通孔７１ａ,７１ａを挿通する取付けねじ８２,８２が開口部４３ａを挿通してナット板１０のねじ孔１０１,１０１に螺合されるとともに、取付け部７２に形成された挿通孔７２ａを挿通する取付けねじ８２が天板２に螺合されることにより固定される。
【００１９】
支柱４は、アルミニウム合金を材料にして押出し成形により作製され、螺合部４１、係合溝部４２、挿入部４３が一体形成される。支柱４の螺合部４１は、開口部４１ｃを有した筒形状としており、円筒状に比べ（内部の形状を成形する金型の強度を保つことができるため）押出成形金型の耐久性を高めることができる。
【００２０】
脚上部材３,３、脚下部材５,５には、それぞれ前後端部に樹脂製の脚用キャップ９,９が装着されている。図７は脚下部材５とキャップ９の取付け部分の分解斜視図である。キャップ９は直方体状をなし、周面（４周面）に複数の突起部９１,９１が形成されるとともに、１面に飾り部９２が形成されている。飾り部９２は中空に形成されクッション性をもたせている。キャップ９,９は角パイプ状の脚上部材３,３及び脚下部材５,５の端部内側に挿入され、飾り部９２を外部に露出した状態で装着されるものである。脚上部材３,３及び脚下部材５,５の端部内側に挿入されたときに、キャップ９,９の突起部９１,９１が脚上部材３,３及び脚下部材５,５の内壁に圧接して嵌合状態を維持する。
【００２１】
そして、キャップ９,９には、脚下部材５内に挿入される部分の下面に六角ナット９０の外形に合わせた穴部９３が形成されている。脚下部材５のキャップ９が挿入される部分の下面には、六角ナット９０の雌ねじ部９０ａに螺合されてそのねじ込み量の調節により事務用デスク１の高さの微調節をするアジャスタ８のねじ部８ａの挿通孔５２が、六角ナット９０の雌ねじ部９０ａと同心的に設けられている。アジャスタ８は、脚下部材５,５の前後に（左右の脚下部材５,５にそれぞれ合計４個）設けられている。
【００２２】
このように、支柱４,４は、水平断面が同一形状に形成され、その断面形状部分に各種部品（脚上部材３,３、脚下部材５,５、側板６,６及び幕板７）の取付けのための螺合部４１,４１、係合溝部４２、挿入溝４３が形成されている。支柱４,４が所定寸法に切断されることにより任意の高さに変更ができる。共通化により、コストを抑え、規格外のニーズに対応した事務用デスク１の高さ調節が可能である。
【００２３】
また、脚上部材３,３及び脚下部材５,５は、同一断面の角パイプで形成され、その切断寸法により任意の奥行寸法に変更できる。脚上部材３,３及び脚下部材５,５の長さを変更し、支柱４,４を取付ける孔位置（挿通孔３１,３１の位置）を変更することにより、デスク奥行に合わせた強度的・デザイン的にもバランスのとれた脚形状とすることができる。また、脚上部材３,３及び脚下部材５,５には樹脂製のキャップ９,９が装着され、それら脚部材が切断された端部を安全に保護できる。
【００２４】
なお、天板２は、基本材質を木製とすることで間口・奥行寸法を任意に加工できる。また、幕板７は、スチール製とし汎用機械で加工することにより各種間口寸法に対応できる。
【００２５】
側板６,６は、スチール製として好みの塗装色としたり、パンチング加工したりできる。なお、側板６,６として樹脂板・木製ボードなどの厚みの厚いものに変更できる。厚いもの対しても、係合溝部４２は、開口の口元部よりも内部が狭く形成されており、その厚みに応じてその幅（前後方向の幅）を調整することによりガタツキ無く保持できる。側板６,６を樹脂板として色を変えたり、木製ボードとして表面柄・色などをかえることによりデザイン性を持たせることができる。
【００２６】
また、アジャスタ８により、事務用デスク１の高さの微調節ができ、使用者の最適な位置に合わせることができる。上記のように、比較的容易にコストを抑えて使用者の体格・用途に合わせた事務用デスク１を提供できる。
【００２７】
図８は事務用デスク１の組立方法を示す分解斜視図である。予め脚上部材３、支柱４,４、脚下部材５及び側板６を取付けねじ８１,８１により螺合固定し一体化しておく。天板２を裏返して置き、その天板２の上に一体化された左右の脚部分（脚上部材３、支柱４,４、脚下部材５及び側板６が一体化された部分）を逆さ状態にして置く。脚上部材３に形成された挿通孔３２,３２を挿通するねじ部の長い取付けねじ８３,８３を天板２のねじ穴２１,２１に螺合して固定する。
【００２８】
ナット板１０は、脚上部材３、支柱４,４、脚下部材５及び側板６が一体化される前に、支柱４（後部に位置する支柱４）の挿入部４３に挿入しておく。ナット板１０はこのように予め挿入されることにより抜け落ちることはない。脚部分が逆さ状態に置かれたときに、図７に示すようにナット板１０は下端が脚上部材３に当接した状態にある。幕板７（取付け部７１,７１）の挿通孔７１ａ,７１ａを挿通する取付けねじ８２,８２を開口部４３ａを挿通してナット板１０のねじ孔１０１,１０１に螺合して幕板７を固定する。あわせて取付け部７２に形成された挿通孔７２ａを挿通する取付けねじ８２を天板２のねじ穴２２に螺合して幕板７を固定する。
【００２９】
なお、脚上部材３,３及び脚下部材５,５は、本実施例では角パイプとしたが、これに限定されるものではない。同一断面を有するように、例えばスチール製部材やアルミニウム合金による押出し成形部材にて形成してもよい。また、脚上部材３,３と脚下部材５,５とを同一部品（共通部品）としたが、脚上部材３,３、脚下部材５,５それぞれが同一断面を有する別部品とすることもできる。
【図面の簡単な説明】
【００３０】
【図１】本発明の事務用デスクの斜視図。
【図２】支柱と脚上部材、脚下部材部分の分解斜視図。
【図３】支柱部分の水平断面図。
【図４】脚上部材、脚下部材部分の垂直断面図。
【図５】図３のＡ部拡大断面図。
【図６】幕板と支柱との取付け部分の分解斜視図。
【図７】脚下部材とキャップ部分の分解斜視図。
【図８】事務用デスクの組立方法を示す分解斜視図。
【符号の説明】
【００３１】
１    事務用デスク
２    天板
３    脚上部材
４    支柱
５    脚下部材
６    側板
７    幕板
８    アジャスタ
９    キャップ
１０  ナット板（螺合板）
４１  螺合部
４２  係合溝部
４２ａ  突出片部
４２ｂ  壁部
４３  挿入部
５２  挿通孔
９０  六角ナット
９０ａ  雌ねじ部
【図１】
2005323806.tif 000003
【図２】
2005323806.tif 000004
【図３】
2005323806.tif 000005
【図４】
2005323806.tif 000006
【図５】
2005323806.tif 000007
【図６】
2005323806.tif 000008
【図７】
2005323806.tif 000009
【図８】
2005323806.tif 000010